Podtech/llm-jp-corpus-v4-ja_patent huggingface dataset:
(57)【要約】【課題】各種の模様を持ち、且つ模様を変更することが可能になり、しかも洗浄が容易なルーバー葉身を提供する。【解決手段】長方形のシート形状を持つ葉身本体を含むルーバー葉身において、被覆物が裁縫方式によって前記葉身本体を覆い、前記被覆物は粘着方式によって前記葉身本体を覆ってもよく、前記葉身本体は木材または樹脂材料からなり、前記被覆物は天然皮革、人造皮革または布からなり、前記被覆物の表面にはさらに模様が印刷または染色されていてもよい。【選択図】図１
0003123527.tif 000002
【実用新案登録請求の範囲】
【請求項１】
長方形のシート形状を持ち、樹脂材料または木材からなる葉身本体を含むルーバー葉身において、被覆物が裁縫方式又は粘着方式によって前記葉身本体を覆っていることを特徴とする、ルーバー葉身。
【請求項２】
前記被覆物は、天然皮革、人造皮革、または布からなることを特徴とする、請求項１に記載のルーバー葉身。
【請求項３】
前記被覆物の表面に模様が印刷または染色されていることを特徴とする、請求項２に記載のルーバー葉身。
【考案の詳細な説明】
【技術分野】
【０００１】
本考案は、ルーバー葉身に係り、特に、各種の模様を持ち、且つ模様を変更可能なルーバー葉身に関するものである。
【背景技術】
【０００２】
目下市販されている、樹脂材料で作製されたルーバー葉身は、押出し成形されるときに色彩が決められる。
従ってルーバー全体の色彩変化を豊富にしたい場合でも、せいぜい色彩の深さ（明度、彩度、又は色相）が相違する葉身を組合せて使うしかなく、個々のルーバー葉身に模様を表示することはできない。
すなわち、ルーバー全体は、ルーバー葉身の配列により、葉身ごとに色彩の深さを変化させることはできるが、個々の葉身に模様を表示することはできない。
またルーバーは長期間にわたり使用された後では、ルーバー葉身にホコリなどが付着しているので洗浄が必要になる。
しかしながらルーバー葉身は柔らかく且つ上下に順次、重ねられているので、洗浄作業は極めて面倒である。
また、室内に設置されるルーバーには室内を美化する機能も期待されるが、その場合各種の模様および色彩を持つ布材料で作製されたカーテンを併用する場合が一般であり、せいぜい葉身単位の色彩の深さの変化だけを有し、細かい模様を表示することができないルーバーだけを採用する場合は少ない。
しかしながらカーテンを併用すると、余分な費用がかかる。
【考案の開示】
【考案が解決しようとする課題】
【０００３】
本考案の目的は、各種の模様を持ち、且つ模様を変更可能な、しかも洗浄が容易なルーバー葉身を提供することにある。
【課題を解決するための手段】
【０００４】
上記目的を達成するためになされた本願の考案によるルーバー葉身は、長方形のシート形状を持つ葉身本体を含むルーバー葉身の構造において、被覆物が裁縫方式によって前記葉身本体を覆っていることを特徴とする。
【０００５】
また、本願の考案によるルーバー葉身では、前記被覆物は、裁縫方式ではなく粘着方式によって前記葉身本体を覆っていることを特徴とする。
【０００６】
また、本願の考案によるルーバー葉身では、前記葉身本体は、木材または樹脂材料からなることを特徴とする。
【０００７】
また、本願の考案によるルーバー葉身では、前記被覆物は、天然皮革、人造皮革または布からなることを特徴とする。
【０００８】
また、本願の考案によるルーバー葉身では、前記被覆物の表面に模様が印刷または染色されていることを特徴とする。
【考案の効果】
【０００９】
本考案に係るルーバー葉身によれば、前記ルーバー葉身を組合せたルーバーには色彩のある模様が形成され、室内を美化する効果を達成できると共に、長期間にわたり使用された後では、被覆物を葉身本体から取り外して、裁縫方式または粘着方式により、新品または洗浄済みのの被覆物を葉身本体に取付けることができるので、葉身を洗浄する必要がなく、そしてルーバーの模様を更新することもできるという効果がある。
【考案を実施するための最良の形態】
【００１０】
以下、添付図面を参照して本考案の好適な実施の形態を詳細に説明する。
【実施例１】
【００１１】
最初に、図１と図２を参照する。
本考案に係るルーバー葉身は、長方形のシート形状を持つ葉身本体１０を含み、葉身本体１０は、木材、樹脂または他の材料を採用して作製されたものである。
葉身本体１０は被覆物１１に覆われ、被覆物１１は、天然皮革、人造皮革または布を採用して作製されたものであり、葉身本体１０の表面を被覆しており、裁縫方式により葉身本体１０の表面に固定される。（第１の実施形態）
または、図３に示すように、粘着にかわ１２により被覆物１１を葉身本体１０の表面に固定してもよい。（第２の実施形態）
【００１２】
このようにして作成された、被覆物１１に覆われた葉身本体１０からなる葉身は複数個組合わされて、図４に示すように、ルーバーを形成する。
天然皮革、人造皮革または布を採用して作製された被覆物１１には色彩のある模様（図示しない）が印刷又は染色されており、そうすると、複数個の葉身を組合せたルーバーには全体に色彩のある模様が形成され、室内を美化する効果を達成できる。
それと共に、長期間にわたり使用された後では、被覆物１１を葉身本体１０から取り外して、裁縫方式または粘着方式により新品又は洗浄済みの被覆物１１を葉身本体１０に取付けることができるので、葉身を洗浄する必要がなく、その際ルーバーの模様を更新することもできる。
【００１３】
このように本考案について特定の例を参照して説明したが、それらの例は説明のためだけのものであり本考案を限定するものではない。
従って本考案の実用新案登録請求の範囲は、この分野に通常の知識を有する者が、本考案の精神および範囲を逸脱することなく、ここで開示された実施例に変更、追加、または、削除を施して得られるすべてのルーバー葉身を含む。
【図面の簡単な説明】
【００１４】
【図１】本考案に係る実施例１の斜視図である。
【図２】本考案に係る実施例１の第１の実施形態の断面図である。
【図３】本考案に係る実施例１の第２の実施形態の断面図である。
【図４】本考案によるルーバー葉身を採用したルーバーの斜視概略図である。
【符号の説明】
【００１５】
１０      葉身本体
１１      被覆物
１２      粘着にかわ
【図１】
0003123527.tif 000003
【図２】
0003123527.tif 000004
【図３】
0003123527.tif 000005
【図４】
0003123527.tif 000006
(57)【要約】【課題】美しくくびれたウェストラインを形作り、着用感が良好なガードルの提供。【解決手段】ウェスト口を取り巻く伸縮ベルト３を有し、伸縮ベルト３の両側部は、前後部よりも幅広くすると共に、伸長度を低くしてある。伸縮ベルト３は、伸縮布を上端で折り返して袋状の環状部材５を形成し、環状部材５の両側部の内部に、伸縮布よりも伸長度の低いシート６を装着するか、或いは、前後部に配置した帯状の伸縮素材と、両側部に配置した伸縮素材よりも伸長度の低いシートとを接合して形成する。【選択図】図１
0003123552.tif 000002
【実用新案登録請求の範囲】
【請求項１】
ウェスト口を取り巻く伸縮ベルトを有するガードルであって、前記伸縮ベルトの両側部は、前後部よりも幅広くすると共に、伸長度を低くしてあることを特徴としたガードル。
【請求項２】
前記伸縮ベルトは、伸縮布を上端で折り返して袋状の環状部材を形成し、該環状部材の両側部の内部に、前記伸縮布よりも伸長度の低いシートを装着して成る請求項１に記載のガードル。
【請求項３】
前記伸縮ベルトは、前後部に配置した帯状の伸縮素材と、両側部に配置した前記伸縮素材よりも伸長度の低いシートとを接合して成る請求項１に記載のガードル。
【考案の詳細な説明】
【技術分野】
【０００１】
本考案は、ガードルに関する。
【背景技術】
【０００２】
近年、股上の浅いボトムが好まれており、この結果、ウェストラインがボトムの上方に露出して非常に目立つようになっている。
ところが、ウェスト部分をベルト等で締め付けないためか、女性のウェストサイズが大きくなる傾向にあり、美しくくびれたウェストラインを形作る下着が熱望されている。
ウェストを細く絞る下着としてウェストニッパーやコルセットがあるが、これらは幅広いベルトでウェストの周囲全長を強く締め付けるため、着用感が非常に悪く、健康上も問題がある。
【０００３】
また、従来、ウェスト地を袋状にして身頃を一周するウェスト帯を形成し、その内部の腹部に対応する位置にウェストパワー布を縫い付けたショーツが公知である（特許文献１参照）。
しかし、このものは、均一な幅のウェストパワー布で腹部から両側部を取り巻いているので、膨出した腹部を押さえることはできても、ウェストの両側をなだらかにくびれた形状に補整することができず、圧力が強すぎて着用感もよくない。
【０００４】
【特許文献１】実用新案登録第３０９３３００号公報
【考案の開示】
【考案が解決しようとする課題】
【０００５】
本考案が解決しようとする課題は、美しくくびれたウェストラインを形作り、着用感が良好なガードルを提供することにある。
【課題を解決するための手段】
【０００６】
本考案のガードルは、ウェスト口を取り巻く伸縮ベルトを有し、前記伸縮ベルトの両側部は、前後部よりも幅広くすると共に、伸長度を低くしてある。
前記伸縮ベルトは、伸縮布を上端で折り返して袋状の環状部材を形成し、環状部材の両側部の内部に、前記伸縮布よりも伸長度の低いシートを装着して形成しても良い。
或いは、前記伸縮ベルトは、前後部に配置した帯状の伸縮素材と、両側部に配置した前記伸縮素材よりも伸長度の低いシートとを接合して形成することもできる。
【考案の効果】
【０００７】
請求項１に係る考案によれば、ウェストの脇部分が伸縮ベルトの伸長度が低い部分で押さえられて細くくびれ、しかも、伸長度の低い部分が幅広く形成されているため、なだらかに湾曲して美しいウェストラインを形作る。
また、伸長度が低い部分は伸縮ベルトの両側部のみに限定され、この部分の幅が広いので、圧力が狭い範囲に集中せず分散され、不快感を与える心配が無い。
さらに、伸縮バンドは後部の幅が狭くなっているため、ヒップアップ機能を阻害することがない。
請求項２に係る考案によれば、シートが伸縮ベルト内部に隠れて外面に現れないので体裁がよい。
【考案を実施するための最良の形態】
【０００８】
図１〜図３は、セミロングタイプのガードルである実施例１を示す。図１は、ガードルの斜視図、図２は、ガードルの側面図、図３は、ガードルの断面図である。
ガードルは、左右の身頃部１と、腹部押さえ片２と、ウェスト口を取り巻く伸縮ベルト３とを備える。
左右の身頃部１は、伸縮布を素材とし、筒状の脚部４が一体に形成されている。また、左右の身頃部１の後縁どうしが接合され、左右の身頃部１の前縁は伸縮し難い腹部押さえ片２に接合されている。
【０００９】
伸縮ベルト３は、伸縮布を上端で折り返して袋状の環状部材５を形成し、環状部材５の両側部の内部にシート６を装着して成る。
環状部材５の下縁は、前後部で幅が狭く、両側部で幅が広くなるよう、なだらかな波型に湾曲しており、身頃部１及び腹部押さえ片２の上縁に縫合されている。
シート６は、環状部材５を構成する伸縮布よりも伸長度が低いサテンネット等から成り、環状部材５の両側部の形状に合わせて、下方へ凸に湾曲した略半円形に形成してある。
また、シート６の周縁は、環状部材５の裏面側に縫い付けてあり、表面から縫い目が見えないようになっている。
シート６を装着したことにより、伸縮ベルト３の両側部は、前後部よりも伸長度が低くなり、ガードルを着用した時、ウェストの脇部が伸縮ベルト３の両側部で引き締められて美しくくびれる。
【００１０】
図４は、他の実施例を示す。
伸縮ベルト３’は、前後部に配置した帯状の伸縮素材７と、両側部に配置したシート６’とを接合して環状に形成してある。
シート６’は、伸縮素材７よりも伸長度の低い素材より成る。
また、伸縮ベルト３’の下縁は、前後部が幅狭く、両側部が幅広くなるよう、なだらかな波型に湾曲している。
その他の構成は、図１〜図３に示す実施例と特に変わるところは無い。
なお、本考案のガードルは、ショートガードル、ロングガードルであっても良く、身頃部、腹部押さえ片、脚部等の形状や素材は適宜変更できる。
【図面の簡単な説明】
【００１１】
【図１】本考案の実施例を示すガードルの斜視図。
【図２】本考案の実施例を示すガードルの側面図。
【図３】本考案の実施例を示すガードルの要部断面図。
【図４】本考案の他の実施例に係る伸縮ベルトの斜視図。
【符号の説明】
【００１２】
１  身頃部
２  腹部押さえ片
３，３’  伸縮ベルト
４  脚部
５  環状部材
６，６’  シート
７  伸縮素材
【図１】
0003123552.tif 000003
【図２】
0003123552.tif 000004
【図３】
0003123552.tif 000005
【図４】
0003123552.tif 000006
(57)【要約】【課題】スイッチ操作部に力が加わった場合、スイッチ本体が取り付け枠からの脱落するという危険性を有してした。本考案はこれらの不具合を解決しようとするものである。【解決手段】スイッチ器具の固着用つめ部を別体の部品から作成し、その部品を可動式とし、固着用つめ部を確実に固定する事で、スイッチ本体を取り付け枠から脱落防止するスイッチ取付枠である。【選択図】図１
0003123333.tif 000002
【実用新案登録請求の範囲】
【請求項１】
スイッチ本体の相対する側面にそれぞれ設けられた係止孔に係止爪をそれぞれ係合することにより開口部に収容されたスイッチ本体をスイッチ取付枠に固定する金属板製スイッチ取付枠において、
一方の係止爪をスイッチ取付枠本体と一体的に設けられた係止爪とし、他方の係止爪はスイッチ取付枠本体とは別体の金属板製スイッチ挟持部材に一体的に設けられた係止爪とし、このスイッチ挟持部材はスイッチ操作部が位置される側とは反対側でスイッチ取付枠本体にねじ止めされ、スイッチ取付枠本体に設けられた長穴を利用してそのねじ止め位置を係止爪突出方向に調節可能としたことを特徴とするスイッチ取付枠。
【考案の詳細な説明】
【技術分野】
【０００１】
本考案は、容易にスイッチ本体が脱落することのないスイッチ取付枠に関するものである。
【背景技術】
【０００２】
従来の壁面に設けられたスイッチにおいてはスイッチ本体は金属板製スイッチ取付枠を介して壁面内に設けられたスイッチボックスに取り付けられており、スイッチ本体のスイッチ取付枠への取り付けはスイッチ取付枠と一体的に設けられている２つの対向する係止爪で固定される。この固定はスイッチ本体の相対する側面にそれぞれ設けられた係止孔の一方に２つの係止爪の一方を係合した状態で他方の係止爪を支持する部分をドライバ等で変形させて他方の係止爪を他方の係止孔に係合すること、すなわち、スイッチ本体を対向する２つの係止爪でかしめるにことによって行なっている。このようにスイッチ本体を固定する他方の係止爪は作業性を考慮して変形しやすくした支持部で支持されている。
【特許文献１】特開２００１−２１０１８８
【考案の開示】
【考案が解決しようとする課題】
【０００３】
このようにスイッチ本体は変形しやすい支持部を介してスイッチ取付枠に取り付けられているので、外部に露出しているスイッチ操作部に過度の力が加わるとその支持部が容易に変形し、係止爪と係止孔との係合が外れ、スイッチ本体がぐらついたり、スイッチ取付枠から脱落するという危険性を有していた。本考案はこの不具合を解決しようとするものである。
【課題を解決するための手段】
【０００４】
以上の問題を解決するために、変形しやすい支持部に支持された係止爪でスイッチを固定することをやめて、スイッチ取付枠本体とは別体のスイッチ挟持部材を設け、このスイッチ挟持部材を移動させることによりそこに設けられた係止爪を他方の係止孔に係合・挟持させるものである。すなわち、
スイッチ本体の相対する側面にそれぞれ設けられた係止孔に係止爪をそれぞれ係合することにより開口部に収容されたスイッチ本体をスイッチ取付枠に固定する金属板製スイッチ取付枠において、
一方の係止爪をスイッチ取付枠本体と一体的に設けられた係止爪とし、他方の係止爪はスイッチ取付枠本体とは別体の金属板製スイッチ挟持部材に一体的に設けられた係止爪とし、このスイッチ挟持部材はスイッチ操作部が位置される側とは反対側でスイッチ取付枠本体にねじ止めされ、スイッチ取付枠本体に設けられた長穴を利用してそのねじ止め位置を係止爪突出方向に調節可能としたことを特徴としている。
【考案の効果】
【０００５】
本件考案のスイッチ挟持部材には変形しやすい箇所がないので、スイッチ操作部に過度の力が加わってもスイッチ本体を固定・支持するスイッチ挟持部材の変形は少ない。したがって、スイッチ本体がぐらついたり、取付枠から脱落する危険性が解消される。
【実施例】
【０００６】
以下、添付図面に従って一実施例を説明する。１は最大３個のスイッチ本体１０が取り付けられるスイッチ取付枠を示す。１は耐久・耐食性の金属板製のスイッチ取付枠本体である。スイッチ取付枠本体１の中央部には従来のものと同じようにスイッチ本体を収容する開口部１ｂが設けられており、その開口部をなす一辺には従来と同じように係止爪１ａが３個形成されている。２は取付枠とは別体の金属板製例えば鋼板製のスイッチ挟持部材で、その一辺には係止爪２ａが３個形成されている。このスイッチ挟持部材２は、スイッチ取付枠本体１に穿たれた長穴１ｃを貫通してスイッチ取付部材２に穿たれたネジ穴にねじ込まれたネジ３を締め上げることによりスイッチ取付枠本体１にねじ止め固定される。なお、この長穴１ｃの長軸は前記係止爪１ａの突出方向Ａと一致している。１ｄは図示しないスイッチボックスに図示しないスイッチカバーを固定するねじ用通穴。１ｅはスイッチ取付枠本体１を図示しないスイッチボックスに固定するねじ用通穴である。
【０００７】
本件考案におけるスイッチ本体１０の取付枠１への取付方法について述べる。まず最初に、図１に示すようにスイッチ挟持部材２の係止爪２ａをスイッチ取付枠本体１の係止爪１ａに対向させた状態でネジ３を長穴１ｃを貫通させてねじ込む。次に、ネジ３を緩めた状態でスイッチ挟持部材２をＡ方向に移動させてスイッチ挟持部材２の係止爪２ａとスイッチ取付枠本体１の係止爪１ａとの間隔を拡げる。この状態でスイッチ本体の係止孔１０ａのそれぞれを対応する係止爪１ａ、２ａに対向させた状態で開口部１ｂに挿入する。次に、スイッチ挟持部材２をＡ方向とは反対方向に移動させることにより係止爪１ａ、１ｂをそれぞれ対応するスイッチ本体の係止孔１０ａに係合・挟持させる。最後に、この係合状態でネジ３を締め付ける。このようにしてスイッチ本体１０は取付枠１に固定される。
【図面の簡単な説明】
【０００８】
【図１】本考案のスイッチ取付枠の正面図である。
【図２】図１に示すスイッチ取付枠をＢ−Ｂ方向に見た断面図である。
【符号の説明】
【０００９】
１      スイッチ取付枠
１      スイッチ取付枠本体
１ａ    係止爪
１ｂ    開口部
１ｃ    長穴
２      スイッチ挟持部材
２ａ    係止爪
３      ネジ
１０    スイッチ本体
１０ａ  スイッチ本体の係止孔
１０ｂ  スイッチ操作部
【図１】
0003123333.tif 000003
【図２】
0003123333.tif 000004
(57)【要約】【課題】  簡単に組合わせると共に、立体形状を呈する立体パズルを提供する。【解決手段】  複数のパズルユニットを有する立体パズルであって、隣合うパズルユニットの周縁に、夫々面接触によって連接する連接部と、線接触によって連接する位置決め部が設けられることを特徴とする立体パズル。【選択図】  図３
0003123399.tif 000002
【実用新案登録請求の範囲】
【請求項１】
複数のパズルユニットを有する立体パズルであって、
隣合うパズルユニットの周縁に、夫々面接触によって連接する連接部と、線接触によって連接する位置決め部が設けられることを特徴とする立体パズル。
【請求項２】
前記連接部と位置決め部は、隣合うパズルユニットの連接周縁に設けられる係合凸部と係合凹部であることを特徴とする請求項１に記載の立体パズル。
【請求項３】
前記係合凸部と係合凹部は、円形であることを特徴とする請求項２に記載の立体パズル。
【考案の詳細な説明】
【技術分野】
【０００１】
本考案は、特に立体形状を呈する立体パズルに関するものである。
【背景技術】
【０００２】
従来のパズルは、周縁に係合凸部と係合凹部を有する複数の平面状パズルユニットを組み合わせることにより、脳の鍛練を行うことができる。
【０００３】
本案出願人は、「中空な立体製品を複数のパズルユニットに分割させる」や、「これらパズルユニットを組み合わせることによって立体パズルを完成することにより、耐性と脳の鍛練を行う。組み合わせた立体パズルは、装飾物として使用できる」が、中国特許第０１１２９８４３．X号「立体パズル」に開示された。
【考案の開示】
【考案が解決しようとする課題】
【０００４】
しかしながら、前記立体パズルにおける隣合うパズルユニットの連接位置は、面接触であり、即ち組み合わせた隣合うパズルユニットの側面が完全に接触しあうため、立体パズル全体の組合作業を難しくなるという問題があった。
【０００５】
そこで、案出されたのが本考案であって、簡単に組合わせると共に、立体形状を呈する立体パズルを提供することを目的としている。
【課題を解決するための手段】
【０００６】
本願の請求項１の考案は、複数のパズルユニットを有する立体パズルであって、
隣合うパズルユニットの周縁に、夫々面接触によって連接する連接部と、線接触によって連接する位置決め部が設けられることを特徴とする立体パズル、を提供する。
【０００７】
本願の請求項２の考案は、前記連接部と位置決め部は、隣合うパズルユニットの連接周縁に設けられる係合凸部と係合凹部であることを特徴とする請求項１に記載の立体パズル、を提供する。
【０００８】
本願の請求項３の考案は、前記係合凸部と係合凹部は、円形であることを特徴とする請求項２に記載の立体パズル、を提供する。
【考案の効果】
【０００９】
本考案は上記の課題を解決するものであり、隣合うパズルユニットの周縁に、面接触によって連接する連接部と、線接触によって連接する位置決め部が設けられることにより、組合作業の利便性を高めるので、立体パズルでも簡単に組み合わせることができる。
【考案を実施するための最良の形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１は本考案に係る立体パズルの斜視図であり、図２は本考案に係る立体パズルの部分分解斜視図であり、図３は本考案に係る立体パズルにおける部分のパズルユニットを示す斜視図であり、図４は図３の連接部Ａを示す断面図であり、図５は図３の位置決め部Ｂを示す断面図である。
【００１２】
図１乃至図３に示すように、熊の形を実施例として本考案の実施形態を説明する。本考案に係る立体パズル（１）は、複数のパズルユニット（２）（２１）（２２）（２３）を有し、各パズルユニット（２）（２１）（２２）（２３）の肉厚は、均一であり、隣合うパズルユニット（２１）（２２）の連接周縁に夫々円形の係合凸部（２１１）（２２１）と係合凹部（２１２）（２２２）が設けられ、該係合凸部（２１１）と係合凹部（２２２）が連接部（Ａ）とし、他の位置は位置決め部（Ｂ）とする。
【００１３】
又、隣合うパズルユニット（２１）（２３）の連接周縁に夫々円形の係合凸部（２１１）（２３１）と係合凹部（２１２）（２３２）が設けられ、該係合凸部（２１１）と係合凹部（２３２）が位置決め部（Ｂ）とし、他の位置は連接部（Ａ）とする。
【００１４】
図４に示すように、前記連接部（Ａ）における隣合うパズルユニット（２１）（２２）とパズルユニット（２１）（２３）は、面接触ことによって連接され、即ち二つパズルユニット（２）の側面は完全に接触しあう。
【００１５】
図５に示すように、前記位置決め部（Ｂ）における隣合うパズルユニット（２１）（２２）とパズルユニット（２１）（２３）は、線接触ことによって連接され、即ち二つパズルユニット（２）の側面は僅か部分のみ接触し、他の部分は分離する状態である。
【産業上の利用可能性】
【００１６】
本考案は上記の構成を有すし、隣合うパズルユニットの周縁に、面接触によって連接する連接部と、線接触によって連接する位置決め部が設けられることにより、組合作業の利便性を高めるので、立体パズルでも簡単に組み合わせることができる。
【図面の簡単な説明】
【００１７】
【図１】本考案に係る立体パズルの斜視図である。
【図２】本考案に係る立体パズルの部分分解斜視図である。
【図３】本考案に係る立体パズルにおける部分のパズルユニットを示す斜視図である。
【図４】図３の連接部Ａを示す断面図である。
【図５】図３の位置決め部Ｂを示す断面図である。
【符号の説明】
【００１８】
１          立体パズル
２          パズルユニット
２１        パズルユニット
２１１      係合凸部
２１２      係合凹部
２２        パズルユニット
２２１      係合凸部
２２２      係合凹部
２３        パズルユニット
２３１      係合凸部
２３２      係合凹部
Ａ          連接部
Ｂ          位置決め部
【図１】
0003123399.tif 000003
【図２】
0003123399.tif 000004
【図３】
0003123399.tif 000005
【図４】
0003123399.tif 000006
【図５】
0003123399.tif 000007
(57)【要約】【課題】有機溶剤系、第二、三石油類系の溶剤を用いたラベル剥がしに対しても反応可能として開封確認を万全なものとし、セキュリティを担保すること。【解決手段】このセキュリティラベル１は、剥離すると非転写文字が浮き上がる構成を有するポリエステルフィルム３と、当該ポリエステルフィルム３の外縁部に配設され、有機溶剤系、第三石油系の溶剤に所定色をもって反応し表層剥離を起こす特殊紙２と、この特殊紙２の表面に特殊インキで印字された所定のマーク部４と、で構成されている。この特殊インキは、第二石油類系の溶剤に触れると滲みを起こすようになっている。【選択図】      図１
0003123396.tif 000002
【実用新案登録請求の範囲】
【請求項１】
剥離すると非転写文字が浮き上がる構成を有するポリエステルフィルムと、
上記ポリエステルフィルムの外縁部に配設され、有機溶剤系、第三石油系の溶剤に所定色をもって反応し表層剥離を起こす特殊紙と、
この特殊紙の表面に特殊インキで印字された所定のマーク部と、
を有するセキュリティラベル。  
【考案の詳細な説明】
【技術分野】
【０００１】
本考案は、開封確認を可能とするセキュリティラベルに関する。
【背景技術】
【０００２】
従来、例えばパチンコ等の遊戯具では、当該パチンコ機を不正に開き、内部構造を改変するという不正行為が行われているが、このような不正行為、つまり機械の不正な開閉を確認するための種々の技術が提案されている。また、秘密事項を含む書類等を管理する封筒等については、その開封確認を行うためのセキュリティラベルについて種々の技術が提案されている。例えば、特許文献１では、封印シール部を剥離の有無を確認可能とした貴重品配送用シールが開示されている。
【特許文献１】特開２００６−０５１７６３号公報
【考案の開示】
【考案が解決しようとする課題】
【０００３】
しかしながら、特許文献１では、有機溶剤系、第二、三石油類系の溶剤を用いたラベル剥がしを確認する為の技術的事項については何等開示も示唆もされていない。
【０００４】
本考案の目的とするところは、有機溶剤系、第二、三石油類系の溶剤を用いたラベル剥がしに対しても反応可能とし、開封確認を万全なものとし、ひいてはセキュリティを担保することが可能なセキュリティラベルを提供することにある。
【課題を解決するための手段】
【０００５】
本考案の一態様では、剥離すると非転写文字が浮き上がる構成を有するポリエステルフィルムと、上記ポリエステルフィルムの外縁部に配設され、有機溶剤系、第三石油系の溶剤に所定色をもって反応し表層剥離を起こす特殊紙と、この特殊紙の表面に特殊インキで印字された所定のマーク部と、を有するセキュリティラベルが提供される。
【考案の効果】
【０００６】
本考案によれば、有機溶剤系、第二、三石油類系の溶剤を用いたラベル剥がしに対しても反応可能とし、開封確認を万全としたセキュリティラベルを提供することができる。
【考案を実施するための最良の形態】
【０００７】
以下、添付図面を参照して、本考案の実施の形態について説明する。
【０００８】
図１には本考案の一実施の形態に係るセキュリティラベルの構成を示す図である。
【０００９】
すなわち、図１（ａ）は、この実施の形態に係るセキュリティラベル１を上方から見た平面図であり、図１（ｂ）は当該セキュリティラベル１の一部断面図であり、図１（ｃ）は当該セキュリティラベル１の改良例の一部断面図である。
【００１０】
同図に示されるように、このセキュリティラベル１は、当該セキュリティラベル１を剥離すると非転写文字が浮き上がる構成を有するポリエステルフィルム３と、当該ポリエステルフィルム３の外縁部に配設され、有機溶剤系、第三石油系の溶剤に所定色（例えば赤色）をもって反応し表層剥離を起こす特殊紙２と、この特殊紙２の表面に特殊インキで印字された所定のマーク部材４（この例では、「ＡＢＣ」）と、で構成されている。この特殊インキは、第二石油類系の溶剤に触れると滲みを起こすようになっている。本実施の形態では、このような３つの部材により、開封確認を万全なものとしている。
【００１１】
ポリエステルフィルム３は、所定の転写文字が印字された層の上に透明な層が積層された構成となっており、底面は接着面となっている。特殊紙２としては、例えば特開２００１１−７９０７号公報に開示されている構造を採用することができる。この場合、接着剤の上に水性インク層が積層され、更に当該水性インク層の上に確認部が積層された構成となる。但し、これには限定されないことは勿論である。
【００１２】
ここで、上記特殊紙２のポリエステルフィルム３への配設については、図１（ｂ）に示されるように当該特殊紙２の底面の一部がポリエステルフィルム３に覆い被さるような形での貼付や、図１（ｃ）に示されるように、特殊紙２の底面の全体がポリエステルフィルム３に貼付されるような形が考えられるが、これらに限定されるものではない。
【００１３】
次に、図２を参照して、本考案の一実施の形態に係るセキュリティラベル１の開封確認の効果を説明する。この図２に示されるように、セキュリティラベル１は、物理的な力により当該ラベル１を剥離した場合には、非転写文字が浮き上がるため、開封の確認が可能となる（（１）開封反応）。また、有機溶剤系、第三石油類系の溶剤に対しては色変化を起こすことから、表層剥離を確認することもできる（（２）溶剤（ラベル剥がし）その１）。また、第二石油系の溶剤に特殊インキが触れると滲みを生じるので、そのような溶剤を用いたラベル剥がしの行為を確認することも可能である（（３）溶剤（ラベル剥がし）その２）。
【００１４】
以上、本考案の一実施の形態について説明したが、本考案はこれに限定されることなくその趣旨を逸脱しない範囲で種々の改良・変更が可能であることは勿論である。
【００１５】
例えば、特殊紙のポリエステルフィルムへの配設は、前述した２つの例に限定されることなく、例えばポリエステルフィルムの外縁部の一部に設けるようにしてもよい。
【図面の簡単な説明】
【００１６】
【図１】（ａ）は本考案の一実施の形態に係るセキュリティラベル１を上方から見た平面図であり、（ｂ）は当該セキュリティラベル１の一部断面図であり、（ｃ）は当該セキュリティラベル１の改良例の一部断面図である。
【図２】本考案の一実施の形態に係るセキュリティラベルの使用状況を説明するための概念図である。
【符号の説明】
【００１７】
１…セキュリティラベル、２…特殊紙、３…ポリエステルフィルム、４…マーク。
【図１】
0003123396.tif 000003
【図２】
0003123396.tif 000004
(57)【要約】      （修正有）【課題】従来は、両手の指の頭で釣り針と糸を結び付けていたが、糸を曲げたり巻いたりすると糸がよれて作業しずらく怪我をする危険性もあった。その不便さや怪我を防止するために補助台紙を提供する。【解決手段】糸を固定する為の引っ掛け頭４、釣針と糸を固定する為の釣針押さえ板５を設け、さらに糸通し穴７を設けることで糸のよれを無くし、迅速且つ安全に作業ができる。【選択図】図１
0003123325.tif 000002
【実用新案登録請求の範囲】
【請求項１】
一枚の台紙（１）に糸引っ掛け頭（４）、釣針押さえ板（５）、糸通し穴（７）を設けたことを特徴とした釣針と糸を結ぶ補助台紙。
【考案の詳細な説明】
【考案の詳細な説明】
【０００１】
【技術分野】  この考案は釣針と糸の結び方の補助台紙に関するものである。【０００２】
【背景技術】  従来の結び方は両手の指だけで釣針と糸を操り結んでいた。【０００３】
【考案が解決しようとする課題】
従来の結び方では糸がよれたり釣針の先で怪我をしたりで特に女性や子供にとって容易ではない。
結び方を迅速且つ安全に結ぶことを課題とする。
【０００４】
【課題を解決する為の手段】
一枚の台紙（１）に糸を固定する糸引っ掛け頭（４）、釣針と糸を固定する釣針押さえ板（５）そして糸通し穴（７）を設ける。
【０００５】
【補助台紙の使用方法】
本考案は糸のよれを防ぎ、かつ安全性を考慮したものである。糸を結ぶ要領は従来の手順と変わらないが、補助として台紙の仕組みを利用するものである。
図１外掛け結びによる使用法
１、糸を糸引っ掛け頭（４）に固定する。
２、釣針（２）を台紙（１）の所定の位置に乗せる。
３、釣針押さえ板（５）で釣針（２）と糸（３）を挟み押える。
４、釣針（２）の頭の所で糸を数回巻く。
５、通し糸（６）を釣針押え板（５）で押え、糸通し穴（７）にくぐす。
６、糸引っ掛け頭（４）の糸を外す。
７、糸の両端を少しずつ引っ張る。
８、もう一度両端の糸を引っ張って、糸結び完了。
【０００６】
【考案の効果】
釣針と糸が固定されているので非常に作業がやり易く迅速、且つ安全性も高くなった。
内掛け結びにも応用でき、又台紙に発光性を持たせれば昼夜問わず結ぶことが出来る。
【０００７】
【図面の簡単な説明】
【図１】外掛け結びの斜視図である
【図２】台紙の平面図である
【符号の説明】
１  台紙      ４  糸引っ掛け頭      ７  糸通し穴
２  釣針      ５  釣針押さえ板      ８  切り込み部
３  糸        ６  通し糸            ９  切り抜き部
【図１】
0003123325.tif 000003
【図２】
0003123325.tif 000004
(57)【要約】      （修正有）【課題】地方の仏教的習慣行事のお盆の際などにお墓に設置する提灯飾りにおいて、旧来の木製や竹製素材などでの手作的提灯飾りを軽量で設置や撤去が容易で耐久性に富む商品として標準化したスライド式提灯飾りのスライド部の合わせや微調整を容易に効率よく安全にするための自動ストッパー機構の提供。【解決手段】平板のほぼ中央位置に挿入ピン４の貫通孔を有したベース座１に門型で中段に挿入ピン４の貫通孔を有した中通枠２を設けた外枠３を有して、外枠３と中通枠２の間にコイル状の圧縮バネ６を有し圧縮バネ６の中通枠２側を挿入ピン４と固着して、外端に取手５を付けた挿入ピン４を外枠３と圧縮バネ６と中通枠２とベース座１を貫通させた基本機構の自動ストッパーを外支柱部７に設けて、挿入孔９を有した内支柱部８との組み合わせ構成の提灯飾りの自動ストッパー機構。【選択図】図１
0003123330.tif 000002
【実用新案登録請求の範囲】
【請求項１】
平板のほぼ中央位置に挿入ピン４の貫通孔を有したベース座１に門型で中段に挿入ピン４の貫通孔を有した中通枠２を設けた外枠３を有して、外枠３と中通枠２の間にコイル状の圧縮バネ６を有し圧縮バネ６の中通枠２側を挿入ピン４と固着して、外端に取手５を付けた挿入ピン４を外枠３と圧縮バネ６と中通枠２とベース座１を貫通させた基本機構の自動ストッパーを外支柱部７に設けて、挿入孔９を有した内支柱部８との組み合わせた提灯飾りの自動ストッパー機構。
【考案の詳細な説明】
【技術分野】
【０００１】  本考案は地方の仏教的習慣行事のお盆の際などにお墓に設置する提灯飾りにおいて、旧来の木製や竹製素材などでの手作的提灯飾りを軽量で設置や撤去が容易で耐久性に富む商品として標準化したスライド式提灯飾りのスライド部の合わせや微調整を容易に効率よく安全にするための自動ストッパー機構に関するものである。
【背景技術】
【０００２】  本技術は実用新案出願中の考案の名称「スライド式提灯飾り」、出願番号「実願２００５−１１１５１」の背景技術によるものであり、特に外支柱と内支柱のスライド合わせ機構に関する技術である。
【考案の開示】
【考案が解決しようとする課題】
【０００３】  考案の名称「スライド式提灯飾り」、出願番号「実願２００５−１１１５１」には次のような問題があった。
（イ）初盆の際などの提灯飾りは提灯掛横桟１０を複数段セットした高層構造物となり、その設置や各層のスライド操作や内支柱と外支柱の微調整や合わせなど困難であった。
（ロ）高層物である提灯飾りの内支柱の外支柱への差し込みや上下スライド操作は指を挟むなど安全性に問題があった。
【課題を解決するための手段】
【０００４】  いまその課題を解決するための構成を説明すれば、
平板のほぼ中央位置に挿入ピン４の貫通孔を有したベース座１に門型で中段に挿入ピン４の貫通孔を有し挿入ピン４の挿入位置補正用の中通枠２を設けた外枠３を有して、外枠３と中通枠２の間にコイル状の圧縮バネ６を有し圧縮バネ６の中通枠２側を挿入ピン４と固着して、外端に取手５を付けた挿入ピン４を外枠３と圧縮バネ６と中通枠２とベース座１を貫通させた基本機構の自動ストッパーを提灯飾りの外支柱部７に設けて、挿入孔９を有した内支柱部８との組み合わせ構成である。
【考案の効果】
【０００５】  本考案による具体作用および効果を列記すれば、
（イ）取手５を外側に引いて内支柱部８を外支柱部７へ差し込む
（ロ）圧縮バネ６で押された状態の挿入ピン４は内支柱部８に遮られた状態で保持している。
（ハ）内支柱部８を調整作動させ挿入孔９が挿入ピン４の位置にくると圧縮バネ６に押された挿入ピン４が自動的に挿入孔９に挿入されて止められる。
（ニ）取り外す際は取手５を外側に引いて内支柱部８を外支柱部７より引き抜くだけである。【０００６】  本考案により提灯飾りの設置や操作が容易となり、特に内支柱と外支柱の合わせは自動的に挿入ピン４が内支柱部８の挿入孔９に挿入してセットできるため作業性や安全性が大幅に向上しますので過疎化で高齢者が多い地方において非常に有効で明るく楽しく心の通った社会づくりに大きく貢献するものであります。
【考案を実施するための最良の形態】
【実施例】
【０００７】  具体実施例を述べれば、
（イ）貫通ピン孔をほぼ中央位置に有するアルミ平板のベース座１とアルミ材の中通枠２を中段に有したアルミ材の門型外枠３に端部に取手５を有し中通枠２と外枠３の間に挿入ピン４の押し出し用でコイル状の圧縮バネ６を入れた挿入ピン４を貫通させた構造を一体機構として自動ストッパーの標準部品とする。
（ロ）内支柱部８に複数の挿入孔を短ピッチで有して一人での操作調整を可能とする。
（ハ）圧縮バネ６は挿入ピン４の中通枠２側と固着して挿入ピン４を内支柱部８の挿入孔９へ挿入できる圧縮力を有する。
（ニ）自動ストッパーにはベース座１を設けず直接外枠３を外支柱部７へ取り付ける場合もある。
（ホ）スライド式提灯飾りの基本構成は両側に外支柱部７と内支柱部８を有し提灯を掛る各層に提灯掛横桟１０を有して下段に補強用の補強桟１１を有して、外支柱部７と内支柱部８の止めに自動ストッパーを組み合わせた構成。
【図面の簡単な説明】
【図１】本考案の提灯飾りの自動ストッパー機構で閉鎖した状態の一例を示す中央断面図
【図２】本考案の提灯飾りの自動ストッパー機構で開放した状態の一例を示す中央断面図
【図３】本考案の提灯飾りの一例を示す全体概要の正面図
【符号の説明】
１はベース座
２は中通枠
３は外枠
４は挿入ピン
５は取手
６は圧縮バネ
７は外支柱部
８は内支柱部
９は挿入孔
１０は提灯掛横桟
１１は補強桟
【図１】
0003123330.tif 000003
【図２】
0003123330.tif 000004
【図３】
0003123330.tif 000005
(57)【要約】      （修正有）【課題】災害時に起こりうる落下物などの相当な衝撃に耐えうる防災頭巾を提供する。【解決手段】軽量でありながらかなりな強度を有する高密度の棒状ウレタンを集合させ、これを緩衝体として頭巾の内容物に採用し、従来の綿を緩衝体とする頭巾の構造に追加する如く頭巾を形成し、さらに防災用品を装備する。【選択図】図１
0003123326.tif 000002
【実用新案登録請求の範囲】
【請求項１】
防災用頭巾において、あらかじめ合成樹脂を素材とする緩衝体を形成し、木綿綿と併用した緩衝体を内容物としてなる防災頭巾。
【請求項２】
請求項１において、災害時に必要かつ効果のある用具を備えた防災頭巾。
【請求項３】
請求項１において、外音を阻害しないことを目的に耳穴を備えた防災頭巾。
【請求項４】
請求項１において、頭巾の外周に反射剤を塗布した反射テ−プを縫合した防災頭巾。
【考案の詳細な説明】
【技術分野】
【０００１】  本考案は、地震発生などの災害時などに、頭上に固形物が落下する場合の頭部の負傷を未然に防止するため、合成樹脂を用いた緩衝材で頭部を覆う如く成型した内容物を、木綿の繊維で包んで頭巾状に縫製した防災用の頭巾に関するものである。
【背景技術】
【０００２】  古くから、頭部を保護したり防寒のため、綿や真綿を包んだ形状の頭巾は存在し、とくに戦時には防空頭巾と称して広く知られていた。【０００３】  とくに近年、大規模地震や台風などの災害時における人身被害を懸念し、災害等による人身保護が大きくクロ−ズアップされており、如何なる災害時に於いても人命尊重が基本理念となっている。【０００４】
【特許文献１】  特許公開平７−３１３６１４公報
【特許文献２】  特許公開平９−２１７２２０公報
【考案の開示】
【考案が解決しようとする課題】
【０００５】  従来、作業場などでは頭部を保護する手段として硬質のヘルメットが広く使用され、かたや一般住民などは、軟質素材で頭部を覆って防寒のために用いる頭巾が利用されている。【０００６】  しかし、通常に起こりうる災害時に於いては、不意の落下物で身体を打撃されたりして身の自由を奪われ、なかでも頭部の損傷は致命傷となる。【０００７】  このような場合、頭部の損傷さえ回避できれば、かなりな確率で人命が助かることも衆目の一致することであるが、前述の保護手段では、硬質の素材でできたヘルメットは保持と保管に難があり、防寒用の頭巾では衝撃に耐え難く、前述の特許文献２の如く頭巾の内容物として金属を用いる構造では、明らかに衝撃を増幅する結果となり、いずれも災害有事の防災頭巾となり難い条件がある。
【課題を解決するための手段】
【０００８】  この考案は、前述の課題を解決するため、頭巾の内容物を頭頂から後頭部にかけて頭部の形状にマッチするように整形した合成樹脂とし、打撃を受けたときの緩衝体とする。【０００９】  この場合の合成樹脂は、頭巾を保管するときの形状変化に適応できるように、やや硬質で弾力を有する素材を棒状に整形したウレタンを用い、かなりな衝撃を緩衝できるよう集合密着させて、頭部の形状に適合させた形状に裏打ち縫合したものを頭巾の緩衝体とすることで、単に綿を用いた頭巾の緩衝度の比でなく大きな衝撃に耐えうることになる。【００１０】  この考案は、さらに災害非常時の“まさか”に役立つように、ホイッスル、ＬＥＤミニライト、鈴、マスクなどを添設させた構造とし、外周には反射テ−プを配することで暗闇のなかでも他人に認知される効果を高めることとする。
【考案の効果】
【００１１】  この考案の頭巾を備えて、有事に使用することで災害が発生する状況下における、不慮の負傷や死亡事故の絶滅に役立つものであり、地震や台風などの自然災害のなかでも、人体の頭部損傷による重傷事故と最悪の死亡事故の減少とともに、倒壊した家屋や土砂に埋もれた被害者の捜索活動にも寄与できる。【００１２】  また、付帯効果として、この考案の頭巾は防寒に役立ち、降雨のときは頭部を含め身体の防雨にも役立ち、頭巾に用いた緩衝体が変形自在で普段の保管に融通性がある。
【考案の実施するための最良の状態】
【００１３】  この考案のあらましの形態は、前述［０００９］と［００１０］の項で述べた如くであるが、図１のように弾力のある棒状のウレタンを平面に並べて連なった状態に整形して緩衝体とすることで、１００ｋｇぐらいの瞬間的な衝撃に耐えられることになる。
【００１４】  従って、これらを人体の頭頂から後頭部を包む形に成形し、頭巾上部の内容物とするため、最終的に荒地の布に包んで整形して緩衝体とする。
【００１５】  さらに、成型されたこの緩衝体に綿を張添し、頭巾の裏と表の木綿生地で包むように縫製して防災用頭巾の本体となり、頭巾の表面には暗闇でも他の人に認知され易くするため、反射剤を塗布したテ−プを縫着して成型する。
【００１６】  とくに、万一家屋に閉じ込められたり、危険に遭遇した際に役立つ道具となるホイッスル、ＬＥＤミニライト、ラジオなどを何時でも頭巾本体から取り出せるように装着する。
【実施例】  以下、この考案の実施の形態を図面に基ずいて説明する。【００１７】  図１において、防災頭巾１の内容物とする緩衝体は、高密度に精製された棒状ウレタン２を図の如く約十本余を並べて、人の頭部の形状に適合させて頭部全般を覆う如き形状として平面に連結し、綿布で包んで頭巾の主たる緩衝体３とする。【００１８】  図２において、頭部の保護部分４の内容物として前述の整形された緩衝体３を用いるが、肩部の保護部分５を含め全般に綿を内容物として併用する。【００１９】  つまり、図２に示す如く、頭巾は頭部の保護部分４と肩部の保護部分５からなり、全体に緩衝材となる綿を緩衝体とするも、主たる緩衝体３は頭部の保護部分４に位置し、これらを外装の綿布６で包むように縫合して図形の如く成型する。【００２０】  この場合、あらかじめ頭巾の外周には反射剤を塗布した光の反射テ−プ１２を縫着する。【００２１】  さらに、頭巾を装着した際に外音を阻害しないよう、耳に位置する場所には聞き穴７を左右に設けて同じ綿布でカバ−する。【００２２】  また、肩に被さる保護部分５の裾部分内側に袋状の部分８を設け、災害時に遭難した場合などに役立つ用具として、ホイッスル、ＬＥＤミニライト、マスク、超小型ラジオ、タオルなどを収納し、前端に鈴９を吊り下げる構造とする。【００２３】  そして、頭巾を装着した際、確実に頭部で保持するため、首部に位置する場所には絞め紐１０を縫合する。
【図面の簡単な説明】
【００２４】
【図１】防災頭巾の主たる緩衝材の構造を説明する側面見取図である。
【図２】防災頭巾の外形および構造を説明する側面見取図である。
【符号の説明】
【００２５】  １．  防災頭巾。
２．  棒状のウレタン。
３．  棒状のウレタンで構成する緩衝体。
４．  頭部の保護部分。
５．  肩部の保護部分。
６．  防災頭巾の外装の綿布。
７．  聞き穴。
８．  防災用品の収納部分。
９．  鈴。
１０．  頭巾の絞め紐。
１１．  頭部。
１２．  反射テ−プ。
【図１】
0003123326.tif 000003
【図２】
0003123326.tif 000004
(57)【要約】      （修正有）【課題】宝飾品あるいは時計などにおいて、内部に可動装飾要素を備えることにより、装飾性を向上させる。【解決手段】宝飾品あるいは時計などの内部に装飾用の可動要素を備えた構造とする。ダイヤモンドなどの貴石（１）、貴石を保持する金属などの枠（２）、可動装飾要素となる貴石（３）、および可動装飾要素となる貴石を可動させるための平面的保持部品（４）で、可動装飾要素となる貴石を外部から見えることを可能にするための透明性のあるガラスなどの物品（４ａ）および（４ａ）と平行な物品（４ｂ）により構成される。【選択図】図１
0003123329.tif 000002
【実用新案登録請求の範囲】
【請求項１】
宝飾品あるいは時計などにおいて、内部に可動装飾要素を備えることを特徴とする物品
【考案の詳細な説明】
【技術分野】
【０００１】本考案は、例えば通常の宝飾品あるいは時計などにおいて、内部に可動装飾要素を備えることにより、装飾性を向上させる技術に関するものである。
【背景技術】
【０００２】従来の宝飾品あるいは時計などは内部に装飾用の可動要素を備えていない。
【考案の開示】
【考案が解決しようとする課題】
【０００３】従来の宝飾品あるいは時計などは内部に装飾用の可動要素を備えていないため、可動要素を備えた物品に比べその装飾性が低い。
【課題を解決するための手段】
【０００４】上記の課題を解決するために、本考案では、宝飾品あるいは時計などの内部に装飾用の可動要素を備えた構造とした。
【考案の効果】
【０００５】本考案により、装飾性が向上した。
【実施例】
【０００６】本考案になる内部に装飾用の可動要素を備えた宝飾品を、図面に示す具体的な実施例にもとづいて説明する。【０００７】図１に示す宝飾品は、ダイヤモンドなどの貴石（１）、貴石を保持する金属などの枠（２）、可動装飾要素となる貴石（３）、および可動装飾要素となる貴石を可動させるための平面的保持部品（４）で、可動装飾要素となる貴石を外部から見えることを可能にするための透明性のあるガラスなどの物品（４ａ）および（４ａ）と平行な物品（４ｂ）により構成される。
【図面の簡単な説明】
【０００８】
【図１】図１は、本考案による宝飾品の正面図である。
【図２】図２は、本考案による宝飾品の断面図である。
【符号の説明】
【０００９】１  ダイヤモンドなどの貴石
２  貴石を保持する金属などの枠
３  可動装飾要素となる貴石
４  可動装飾要素となる貴石を可動させるための平面的保持部品
４ａ  可動装飾要素となる貴石を可動させるための平面的保持部品の可動装飾要素となる貴石を外部から見えることを可能にするための透明性のあるガラスなどの物品
４ｂ  可動装飾要素となる貴石を可動させるための平面的保持部品の（４ａ）と平行な物品
【図１】
0003123329.tif 000003
【図２】
0003123329.tif 000004
(57)【要約】【課題】  本考案は、背中など任意の位置に、一人で貼付薬を貼付することを可能にしようとするものである。【解決手段】  薬面カバーを剥がしたまま貼付薬を装着し、その貼付薬を、肌面に垂直方向に押す力で引き剥がしそのまま肌面に転移圧着させることができる２枚の圧着板で構成した貼付薬貼り器である。【選択図】図１
0003123327.tif 000002
【実用新案登録請求の範囲】
【請求項１】
（１）弾力性をもつ２枚の圧着板を対面させ、それらの間の角が変動可能な形で上部を組合せ、圧着板下部を肌面に接触させた状態で上部を押すと圧着板は肌面上を互いに逆方向に滑り圧着板下部の間隔が拡大するように構成されたことを特徴とする貼付薬貼り器
【考案の詳細な説明】
【技術分野】
【０００１】  本考案は貼付薬を貼るための器具に関するものである。
【背景技術】
【０００２】  貼付薬は、通常、薬面を覆うカバーを剥がし粘着性がある薬面を上にして掌で支え、落さないように貼るべき部位まで運び、薬面を皮膚に当て、掌で押さえて貼付する。あるいは、皮膚に当てた状態でカバーを外すことが必要である。従って、一人で貼付薬を貼れる体の部位は制限され、背中などには貼ることが困難であった。
【考案の開示】
【考案が解決しようとする課題】
【０００３】  本考案は従来難しかった背中などに１人で貼付薬を貼る手段を提供する。
【課題を解決するための手段】
【０００４】  以下、図を用いて構成と動作を詳細に説明する。
図１は本考案の貼付薬貼り器１の外観図であり、２は台で２−１は底部、３は圧着板で３−１は内側、４は蝶番、５は取っ手である。２枚の圧着板３は蝶番４によって台２に取り付けられている。台２には持ちやすいように取っ手５が付けられている。圧着板３は弾力性のある薄い板で、台２に取り付けたとき、図１のごとく、裾広がりとなる曲面を成している。以下の説明では、取っ手５の方を貼付薬貼り器１の上側、反対側を下側または裾側という。また、圧着板３は、例えばプラスチック材質のように、その内側３−１は滑らかで人の肌を傷つけることなく滑り、かつ、粘着性がある貼付薬の薬面が接着したり、逆に、ある程度の力で剥がれるような性質を持つものとする。貼付薬貼り器１を肌面に置いて取っ手５から下向きに力を加えると、台２に取り付けられた２枚の圧着板３は蝶番４を中心に開き裾の間隔が大きくなる構造となっている。２枚の圧着板３の間の角度により裾の間隔は貼付薬の長さより短かい範囲から充分長い範囲で変化するようにしておく。
図２は貼付薬を貼付薬貼り器１に装着したときの状態を示す断面図であり、６は貼付薬、６−１は粘着性のある薬面である。貼付薬６の薬面６−１を覆うカバーを外して薬面６−１の両端を圧着板３の内側３−１に付着させる。このとき、圧着板３の裾の間隔は小さくなっている。
図３は貼付薬貼り器１を使って貼付薬６を人の肌に圧着させる状況を示す断面図であり、７は人の肌面である。図２のように貼付薬６を装着した状態で貼付薬貼り器１を肌面７に接触させ取っ手５から肌面７向きに力を加えると、２枚の圧着板３の下部は肌面７を滑り、蝶番４を中心に角度が開き裾の間隔が拡がる。その結果、圧着板の内側３−１に付着していた貼付薬６は引き伸ばされ、最後には圧着板内側３−１から剥がれ肌面７に貼り着けられる。このとき薬面６−１の両端は肌面７に圧着されるとともに、貼付薬６の中央部は台２の底部２−１で肌面７に圧着される。その後貼付薬貼り器１を肌面７から離す。取っ手５は必要に応じて長い取っ手に代えることも可能である。取っ手５で押さえる前に、圧着板３の下部で肌面７を触れることで貼る位置を確認することができる。また、圧着板内側３−１に貼付薬６のサイズに応じて目盛を付けておくと利用しやすい。
【考案の効果】
【０００５】  薬面のカバーを剥がしたまま貼付薬を保持でき、かつ、肌面に薬面を接触させた状態で肌面に完全に圧着することができる。背中など、従来、一人では困難であった体の部位に貼付薬を貼付することが可能となる。
【考案を実施するための最良の形態】
【０００６】  プラスチックなど既存の材料で、既存の加工技術で本考案を容易に実施することができる。
【図面の簡単な説明】
【０００７】
【図１】  貼付薬貼り器の外観図
【図２】  貼付薬貼り器に貼付薬を装着した状態を示す断面図
【図３】  貼付薬貼り器を使って貼付薬を肌面に圧着させた状態を示す断面図
【符号の説明】
【０００７】  １は貼付薬貼り器、２は台、２−１は台の底部、３は圧着板、３−１圧着板内側、４は蝶番、５は取っ手、６は貼付薬、６−１は薬面、７は肌面
【図１】
0003123327.tif 000003
【図２】
0003123327.tif 000004
【図３】
0003123327.tif 000005